(57)【要約】  【課題】  【解決手段】  ゴルフクラブヘッドのフェースの角度を調節することができるゴルフクラブヘッドの角度調節器、特に、ゴルフクラブヘッドが回転して、ゴルフクラブヘッドのフェースの角度を容易に調節できるゴルフクラブヘッドの角度調節器が開示されている。本発明にかかるゴルフクラブヘッドの角度調節器は、フェース１１と、クラウン１２と、ホール１４と、拡大ホール１５と、第１の凹凸１６と、中央シャフト１７と、第２の凹凸２６と、コイルスプリング４０と、固定部材５０を具える。【選択図】  図３
2008518654.tif 000002
【特許請求の範囲】
【請求項１】
ゴルフボールを打つ前側部に形成されたフェース１１と；
前記フェース１１に繋がっており、上側部に形成されているクラウン１２と；
前記クラブヘッド本体１０の中央を縦方向に貫通するホール１４と；
前記クラブヘッド本体１０の前側端部に形成されており、その径が前記ホール１４より大きい拡大ホール１５と；
前記ホール１４の周辺に設けるために前記クラブヘッド本体１０の後側端部に形成した第１の凹凸１６と；
ネック２０の前側表面に形成されており、前記ホール１４内に挿入される中央シャフト１７と；
前記中央シャフト１７の周辺に設けるためにネック２０の前側表面に形成した第２の凹凸２６と；
前記拡大ホール１５を通って前記中央シャフト１７の前側端部内に挿入したコイルスプリング４０と；
前記コイルスプリング４０を固定するために前記中央シャフト１７の前側端部で結合させた固定部材５０と；
を具えるゴルフクラブヘッドの角度調節器。
【請求項２】
請求項１に記載のゴルフクラブヘッドの角度調節器において、前記ホール１４、２４および前記拡大ホール１５、２５がネック２０に形成されており、前記中央シャフト１７、２７が、前記クラブヘッド本体１０に形成されていることを特徴とするゴルフクラブヘッドの角度調節器。
【請求項３】
請求項１又は２に記載のゴルフクラブヘッドの角度調節器において、前記第１の凹凸１６と、前記第２の凹凸２６が歯車式に互いに係合していることを特徴とするゴルフクラブヘッドの角度調節器。
【請求項４】
請求項１に記載のゴルフクラブヘッドの角度調節器において、前記ホール１４が円錐形状に形成されており、前記第１の凹凸１６が前記ホール１４の内側表面に形成されており、前記中央シャフト１７が円錐形状に形成されており、前記第２の凹凸２６が前記中央シャフトの外側表面に形成されており、前記第２の凹凸２６が前記ホール１４の第１の凹凸１６と歯車式に係合されていることを特徴とするゴルフクラブヘッドの角度調節器。
【発明の詳細な説明】
【技術分野】
【０００１】
技術分野
本発明は、ゴルフクラブヘッドのフェースの角度を調節することができるゴルフクラブヘッドの角度調節器に関する。
【０００２】
背景技術
ゴルフは、スイングフォーム、ドライビングショット、ゴルフクラブの種類、及びグリップの状態などの状態に対して非常に敏感に反応するスポーツである。
【０００３】
特に、ゴルフプレーヤは、ゴルフの能力を高めるためにアドレス、スイングフォーム、及びスイートスポットを正確にセットする努力をしなければならない。また、ゴルフボールの方向とドライビングディスタンスの正確性を高めるために、ゴルフクラブはプレーヤの物理的状態に合ったものでなくてはならない。従って、ゴルフボールのドライビング方向およびドライビングディスタンスは、ゴルフクラブヘッドの移動方向と、プレーヤがゴルフボールを打つ瞬間のヒッティングポイントの位置に大きく影響される。従って、プレーヤの物理的状態あるいはスタンスの姿勢に応じてクラブヘッドの角度を調節する必要がある場合がある。
【０００４】
発明の開示
技術的問題点
以前から、ゴルフクラブヘッドの角度調節デバイスは、従来技術に開示されていた。しかしながら、その構造は複雑であり、使用が不便であるため、従来の角度調節デバイスは製品化されていなかった。
【０００５】
技術的解決
本発明は、従来技術に生じる上述の問題を考慮したものであり、本発明の目的は、使用に便利で、構造が簡単なため、プレーヤが身体的状態あるいは、一つのゴルフクラブのみのスタイルによって便利に使用することができるゴルフクラブヘッドの角度調節器を提供するものである。
【０００６】
有利な効果
本発明には、プレーヤが便利に使用できるという利点がある。なぜなら、彼／彼女は、ゴルフクラブヘッドを手で回転させるという方法で、ゴルフクラブヘッドの角度を調節することができるからである。又、構造がシンプルなので、製造者が容易に製造することができる。また、本発明は、プレーヤにとって持ち運びが便利である。なぜなら、プレーヤがヘッドの角度を調節することができ、数多くのゴルフクラブを持ち運びする必要がないからである。また、本発明は経済的負担を低減することができる。なぜならプレーヤは、高価なゴルフクラブを多数買う必要がないからである。
【０００７】
発明を実施するためのベストモード
ゴルフボールを打つ前側部に形成されたフェース１１と；
前記フェース１１に繋がっており、上側部に形成されているクラウン１２と；
前記クラブヘッド本体１０の中央を縦方向に貫通するホール１４と；
前記クラブヘッド本体１０の前側端部に形成されており、その径が前記ホール１４より大きい拡大ホール１５と；
前記ホール１４の周辺に設けるために前記クラブヘッド本体１０の後側端部に形成した第１の凹凸１６と；
ネック２０の前側表面に形成されており、前記ホール１４内に挿入される中央シャフト１７と；
前記中央シャフト１７の周辺に設けるためにネック２０の前側表面に形成した第２の凹凸２６と；
前記拡大ホール１５を通って前記中央シャフト１７の前側端部内に挿入したコイルスプリング４０と；
前記コイルスプリング４０を固定するために前記中央シャフト１７の前側端部で結合させた固定部材５０と；
を具えるゴルフクラブヘッドの角度調節器が提供されている。
【０００８】
発明のモード
添付の図面を参照して、以下に本発明の好ましい実施例を詳細に説明する。図１は、本発明の第１実施例に係るゴルフクラブ用ヘッド傾斜調節器の分解斜視図であり、図２は、図１の実施例を示す斜視図であり、図３は、図２の断面図、図４は、本発明の第２の実施例を示す分解斜視図、図５は、本発明の第３の実施例を示す分解斜視図である。
【０００９】
図１乃至図３に示すように、ゴルフクラブは、クラブヘッド本体１０と、ネック２０と、シャフト３０を具える。また、クラブヘッド本体１０は、ゴルフボールを打つ前側部に形成されたフェース１１と、このフェース１１に繋がっており、上側部に形成されているクラウン１２と、フェース１１をクラウン１２と繋ぎ、地面に対向するソール１３と、を具える。
【００１０】
本発明は、基本的に、クラブヘッド本体１０をネック２０に組み合わせる構成を有する。また、ホール１４がクラブヘッド本体１０の中央を貫通しており、拡大ホール１５がクラブヘッド本体１０の前側端部に形成されている。この拡大ホール１５は、ホール１４に繋がっている。
【００１１】
第１及び第２の凹凸１６、２６は歯車式に形成されており、それぞれ、クラブヘッド本体１０の後側と、ネック２０の前側に形成されている。
【００１２】
中央シャフト１７は、ネック２０の前側中央から突出しており、ホール１４内に挿入できる。
【００１３】
また、ネック２０の中央シャフト１７をホール１４内に挿入した後に、拡大ホール１５を通して中央シャフト１７の前側端部内にコイルスプリング４０が挿入され、固定部材５０が中央シャフト１７の前側端部で結合されて、コイルスプリング４０を固定する。
【００１４】
ここでは、固定部材５０が好ましくはスナップリングであるが、ナットなどでも良い。符号６０はワッシャである。
【００１５】
図３に示す発明によれば、第１の凹凸１６と第２の凹凸２９は、歯車式に互いに結合され、クラブヘッド本体１０が、コイルスプリング４０の弾性力によってネック２０にしっかり差し込まれる。
【００１６】
従って、プレーヤが一方の手でネック２０を握り、他方の手でクラブヘッド本体１０を引っ張った状態でクラブヘッド本体１０を離すと、フェース１１の傾斜角度を調整することができる。プレーヤがクラブヘッド本体１０を引っ張ると、コイルスプリング４０が縮んで、第１及び第２の凹凸１６、２６の係合が外れ、プレーヤがクラブヘッド本体１０を回転させることができる。ここで、プレーヤがクラブヘッド本体１０を地面に対して時計回りに回転させると、フェース１１の角度はより小さくなる。一方、プレーヤがクラブヘッド本体１０を地面に対して反時計回りに回転させると、フェース１１の角度はより大きくなる。
【００１７】
上述したように、プレーヤがクラブヘッド本体１０の角度を調節して離すと、第１及び第２の凹凸１６、２６がコイルスプリング４０の弾性力によって互いに係合し、プレーヤは、通常のゴルフクラブとして本発明を使用することができる。
【００１８】
また、図４は、本発明の第２の実施例を示す図であり、図４の機能は、本発明の第１の実施例の機能と同じである。しかしながら、ホール２４と拡大ホール２５とが、ネック２０に形成されており、中央シャフト２７がクラブヘッド本体１０に形成されている点が異なる。更に、図４の実施例の使用方法は、第１の実施例の使用方法と同じである。
【００１９】
また、図５は、本発明の第３の実施例を示す図であり、図５の機能は、第１の実施例の機能と同じである。しかしながら、ホール１４が円錐形状に形成されており、第１の凹凸１６がホール１４の内側表面に形成されており、中央シャフト１７が円錐形状に形成されており、第２の凹凸２６が中央シャフト１７の外側表面に形成されている点が異なる。
【００２０】
第２の凹凸２６が中央シャフト１７の全部に形成されているか、一部に形成されているかは問題ではなく、第２の凹凸２６は、ホール１４の第１の凹凸１６に係合する。更に、図５の使用方法は、第１の実施例の使用方法と同じである。
【００２１】
産業上の利用可能性
上述したとおり、本発明は、プレーヤが製造が容易なゴルフクラブヘッドの角度を調整することによって都合よく使用することができるという利点がある。また、本発明は、ユーザにとって搬送が容易であり、ユーザに経済的負担をかけない。
【図面の簡単な説明】
【００２２】
【図１】図１は、本発明の第１実施例によるゴルフクラブヘッドの傾斜調節器の分解斜視図である。
【図２】図２は、図１に記載の実施例を示す斜視図である。
【図３】図３は、図２の断面図である。
【図４】図４は、本発明の第２の実施例を示す分解斜視図である。
【図５】図５は、本発明の第３の実施例を示す分解斜視図である。
【図１】
2008518654.tif 000003
【図２】
2008518654.tif 000004
【図３】
2008518654.tif 000005
【図４】
2008518654.tif 000006
【図５】
2008518654.tif 000007
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
ゴルフボールを打つ前側部に形成されたフェース１１と；
クラブヘッド本体１０と；
前記フェース１１に繋がっており、上側部に形成されているクラウン１２と；
前記クラブヘッド本体１０の中央を縦方向に貫通するホール１４と；
前記クラブヘッド本体１０の前側端部に形成されており、その径が前記ホール１４より大きい拡大ホール１５と；
前記ホール１４の周辺に設けるために前記クラブヘッド本体１０の後側端部に形成した第１の凹凸１６と；
ネック２０の前側表面に形成されており、前記ホール１４内に挿入される中央シャフト１７と；
前記中央シャフト１７の周辺に設けるためにネック２０の前側表面に形成した第２の凹凸２６と；
前記拡大ホール１５を通って前記中央シャフト１７の前側端部内に挿入したコイルスプリング４０と；及び
前記コイルスプリング４０を固定するために前記中央シャフト１７の前側端部で結合させた固定部材５０と；を具え、
前記ホール１４が円錐形状に形成されており、前記第１の凹凸１６が前記ホール１４の内側表面に形成されており、前記中央シャフト１７が円錐形状に形成されており、前記第２の凹凸２６が前記中央シャフト１７の外側表面に形成されており、前記第２の凹凸と前記ホール１４の第１の凹凸１６とが歯車式動作をするようにかみ合っており、前記クラブヘッド本体１０が所望の角度に回転することを特徴とするゴルフクラブヘッドの角度調節器。
【国際調査報告】
2008518654.tif 000008
2008518654.tif 000009